(57)【要約】      （修正有）【課題】製品関連情報が表示される包装材の制限された表面により多様なイメージ情報を露出させて提供することができるスライド操作型イメージ可変包装材を提供する。【解決手段】製品を収納して包装する包装材であって、包装材の少なくとも一側面にスライド操作によってイメージを変更することができるイメージ可変部１００が備えられ、イメージ可変部は、包装材に固定され、一列で配列された複数の出入ホールを有する固定シート１１０と、出入ホールを通じて差し込まれる複数の単位シート１２１と単位シートが固着されたスライド操作バー１２２とからなるスライドシート１２０と、を含んでなり、単位シートがそれぞれの出入ホールから抜け出るようにスライド操作バーを引っぱった際に、単位シートが固定シートの後側にスライド移動するに従い、単位シートで遮られていた固定シートのイメージが露出される。【選択図】図１
0003219977.tif 000002
【実用新案登録請求の範囲】
【請求項１】
製品を収納して包装する包装材であって、
前記包装材の少なくとも一側面にスライド操作によってイメージを変更することができるイメージ可変部が備えられ、前記イメージ可変部は、
包装材に固定され、一列で配列された複数の出入ホールを有する固定シートと、
前記出入ホールを通じて差し込まれる複数の単位シートと前記単位シートが固着されたスライド操作バーとからなるスライドシートと、
を含んでなり、
前記単位シートがそれぞれの出入ホールから抜け出るようにスライド操作バーを引っぱった際に、前記単位シートが固定シートの後側又は前側のいずれか一方にスライド移動するに従い、単位シートで遮られていた固定シートのイメージ又は固定シートで遮られていた単位シートのイメージが露出されることを特徴とする、スライド操作型イメージ可変包装材。
【請求項２】
前記スライドシートは、単位シートのスライド方向を基準に、各単位シートの下側端がスライド操作バーに一列で固着され、前記スライド操作バーに固着されていない各単位シートの上側端が出入ホールを貫通して各単位シートが固定シート上に配置されることによってスライドシートのイメージが露出されることを特徴とする、請求項１に記載のスライド操作型イメージ可変包装材。
【請求項３】
前記固定シートは、
一つ以上の第１開放ホールが形成された第１固定シートと、
一つ以上の第２開放ホールが形成され、前記第１固定シートと重なった状態で縁部が接合される第２固定シートと、
を含んでなり、
前記第１開放ホールと第２開放ホールが交互に連続的に配列されることにより、隣り合っている第１開放ホールと第２開放ホールの間に単位シートが通過することができる出入ホールが形成されることを特徴とする、請求項１に記載のスライド操作型イメージ可変包装材。
【請求項４】
前記固定シートは、第１固定シートの後側に第２固定シートが配置され、前記第１開放ホールの上側端に下側に伸びる第１分離防止羽が形成され、前記第１分離防止羽は第２開放ホールの下側端の後側に移動させられて第２固定シートの背面に配置されることを特徴とする、請求項３に記載のスライド操作型イメージ可変包装材。
【請求項５】
隣り合っている第１開放ホールと第２開放ホールのうち下側に配置された第１開放ホールの上側端に形成された第１分離防止羽が、上側に配置された第２開放ホールの下側端の後側に移動させられて第２固定シートによって覆われることを特徴とする、請求項４に記載のスライド操作型イメージ可変包装材。
【請求項６】
前記固定シートは、第２開放ホールの上側端に下側に伸びる第２分離防止羽が形成され、前記第２分離防止羽は第１開放ホールの下側端の下側に配置されることを特徴とする、請求項３に記載のスライド操作型イメージ可変包装材。
【請求項７】
製品を収納するスライド操作型イメージ可変包装材であって、
前記製品を包装する包装材と、
第一の表示が設けられた複数の固定単位シートが前記包装材に一列に並んで取り付けられた固定シートと、
第二の表示が設けられた複数の移動単位シートがスライド操作バーに一列に並んで取り付けられて一緒に移動するようにされたスライドシートと、を有し、
前記スライド操作バーを移動させることで、各前記移動単位シートは、隣接する前記固定単位シートの間の隙間をそれぞれ通過して前記固定単位シートの手前の場所と後背の場所との間で移動されるように構成され、
各前記移動単位シートが前記固定単位シートの前記後背の場所に位置する場合には、前記包装材の表面には前記第一の表示が表示され、
各前記移動単位シートが前記固定単位シートの前記手前の場所に位置する場合には、前記包装材の表面には前記第二の表示が表示されるスライド操作型イメージ可変包装材。
【請求項８】
前記固定単位シートは左右方向に一列に並び、各前記固定単位シートは、左方向と右方向のいずれか一方向に前記固定単位シートが隣接する場合は、前記一方向に隣接する前記固定単位シートの前記後背の場所に位置する分離防止羽を有し、前記固定単位シートと前記分離防止羽とで挟まれた分離防止場所が設けられ、
各前記移動単位シートは、前記後背の場所に位置する場合と、前記手前の場所に位置する場合とで、一部が前記分離防止場所に位置するようにされた請求項７記載のスライド操作型イメージ可変包装材。
【考案の詳細な説明】
【技術分野】
【０００１】
本考案はおやつ類などの製品を包装する包装材に関し、より詳しくは使用者のスライド操作によって外部に露出される表面イメージを変更することができる包装材に関する。
【背景技術】
【０００２】
包装材は製品を包んで包装するもので、一般に包装されている製品に関連する情報が外側表面に表示されている。
【０００３】
一般に、包装材はおやつ類などの製品の成分、容量など消費者に公開しなければならない文字情報及び製品に関連したイメージ情報などが表面に表示されるが、包装材の表面積が限られた表面に製品関連情報が表示されるから、多様な製品情報のうち選択された一部の情報しか表示できない、あるいは消費者が判別しづらい小さなサイズでしか表示できない欠点がある。
【先行技術文献】
【特許文献】
【０００４】
【特許文献１】大韓民国特許公開第１０−２０１１−００８０９５３号明細書
【考案の概要】
【考案が解決しようとする課題】
【０００５】
本考案は前記のような点に鑑みてなされたもので、固定シートにスライド移動可能に組み立てられたスライドシートの移動によって前記固定シートとスライドシートのいずれか一つのシート表面に表示されたイメージが選択的に露出されるように構成されることにより、製品関連情報が表示される包装材の制限された表面により多様なイメージ情報を露出させて提供することができるスライド操作型イメージ可変包装材を提供することにその目的がある。
【課題を解決するための手段】
【０００６】
したがって、本考案は、製品を収納して包装する包装材であって、前記包装材の少なくとも一側面にスライド操作によってイメージを変更することができるイメージ可変部が備えられ、前記イメージ可変部は、包装材に固定され、一列で配列された複数の出入ホールを有する固定シートと、前記出入ホールを通じて差し込まれる複数の単位シートと前記単位シートが固着されたスライド操作バーとからなるスライドシートと、を含んでなり、前記単位シートがそれぞれの出入ホールから抜け出るようにスライド操作バーを引っぱった際に前記単位シートが固定シートの後側又は前側のいずれか一方にスライド移動するに従い、単位シートで遮られていた固定シートのイメージ又は固定シートで遮られていた単位シートのイメージが露出されることを特徴とする、スライド操作型イメージ可変包装材を提供する。
具体的に、前記スライドシートは、単位シートのスライド方向を基準に、各単位シートの下側端がスライド操作バーに一列で固着され、前記スライド操作バーに固着されていない各単位シートの上側端が出入ホールを貫通して各単位シートが固定シート上に配置されることによってスライドシートのイメージを露出させることができる。
前記固定シートは、一つ以上の第１開放ホールが形成された第１固定シートと、一つ以上の第２開放ホールが形成され、前記第１固定シートと重なった状態で縁部が接合される第２固定シートと、を含んでなることができ、前記第１開放ホールと第２開放ホールが交互に連続的に配列されることにより、隣り合っている第１開放ホールと第２開放ホールの間に単位シートが通過することができる出入ホールを形成させることができる。
前記固定シートは、第１固定シートの後側に第２固定シートが配置され、前記第１開放ホールの上側端に下側に伸びる第１分離防止羽が形成され、前記第１分離防止羽は第２開放ホールの下側端の後側に移動させられて第２固定シートの背面に配置させることができる。
隣り合っている第１開放ホールと第２開放ホールのうち下側に配置された第１開放ホールの上側端に形成された第１分離防止羽が、上側に配置された第２開放ホールの下側端の後側に移動させられて第２固定シートによって被覆させることができる。
前記固定シートは、第２開放ホールの上側端に下側に伸びる第２分離防止羽が形成され、前記第２分離防止羽は第１開放ホールの下側端の下側に配置させることができる。
また、第一の表示（イメージ）が同じ面側に形成された複数の固定単位シートで固定シートが構成されたものとし、移動シートを構成する複数の単位シートをそれぞれ移動単位シートと呼び代え、各移動単位シートには同じ側に第二の表示（イメージ）が形成されているものとする。そして、固定単位シートのうち、第一の表示が位置する面側を手前側としその裏面側を背面側とすると、本考案は、製品を収納するスライド操作型イメージ可変包装材であって、前記製品を包装する包装材と、第一の表示が設けられた複数の固定単位シートが前記包装材に一列に並んで取り付けられた固定シートと、第二の表示が設けられた複数の移動単位シートがスライド操作バーに一列に並んで取り付けられて一緒に移動するようにされたスライドシートと、を有し、前記スライド操作バーを移動させることで、各前記移動単位シートは、隣接する前記固定単位シートの間の隙間をそれぞれ通過して前記固定単位シートの手前の場所と後背の場所との間で移動されるように構成され、各前記移動単位シートが前記固定単位シートの前記後背の場所に位置する場合には、前記包装材の表面には前記第一の表示が表示され、各前記移動単位シートが前記固定単位シートの前記手前の場所に位置する場合には、前記包装材の表面には前記第二の表示が表示されるスライド操作型イメージ可変包装材である。
また、本考案は前記固定単位シートは左右方向に一列に並び、各前記固定単位シートは、左方向と右方向のいずれか一方向に前記固定単位シートが隣接する場合は、前記一方向に隣接する前記固定単位シートの前記後背の場所に位置する分離防止羽を有し、前記固定単位シートと前記分離防止羽とで挟まれた分離防止場所が設けられ、各前記移動単位シートは、前記後背の場所に位置する場合と、前記手前の場所に位置する場合とで、一部が前記分離防止場所に位置するようにされたスライド操作型イメージ可変包装材である。
【考案の効果】
【０００７】
本考案の包装材によれば次のような効果が得られる。
【０００８】
１．消費者のスライド操作によってスライドシートと固定シートのうち選択されたシートのイメージが露出されて表示されるので、制限された包装材の表面により多くの情報を表示して提供することができる。
【０００９】
２．したがって、包装材のサイズ変更なしに製品情報を表示することができる包装材の表面積を増やすことができる効果が得られ、包装材のサイズ増加による問題（例えば、運搬費上昇など）を発生させることなく情報露出による広告効果を期待することができる。
【００１０】
３．簡便なスライド操作によって包装材のイメージ変更が可能であり、それによる興味誘発及び売上げ上昇の効果を期待することができる。
【図面の簡単な説明】
【００１１】
【図１】本考案の実施例による包装材を示した斜視図である。
【図２】本考案の実施例によるイメージ可変部を示した斜視図である。
【図３】本考案の実施例によるイメージ可変部のスライドシートを示した斜視図である。
【図４】本考案の実施例によるイメージ可変部の固定シートを示した分解図である。
【図５】本考案の実施例による固定シートを示した正面図及び断面図である。
【図６】本考案の実施例による固定シートとスライドシートの組立前状態を示した部分断面図である。
【図７】（ａ）〜（ｃ）：本考案の実施例による固定シートとスライドシートの組立状態及びスライドシートの移動状態を示した部分断面図である。
【図８】（ａ）〜（ｃ）：本考案の実施例による固定シートとスライドシートの組立状態及びスライドシートの移動状態を示した正面図である。
【考案を実施するための形態】
【００１２】
以下、添付図面を参照して本考案について詳細に説明する。
【００１３】
本考案はスライド操作によって外部に露出される表面イメージを変更することができる包装材に関するもので、包装材の固定シートにスライド移動可能に組み立てられたスライドシートの線形移動によって固定シートとスライドシートのいずれか一つのシートの表面に表示されたイメージが選択的に露出されるようにすることにより、製品関連情報を表示する包装材の制限された表面により多様なイメージ情報を露出させて提供することに特徴がある。
【００１４】
ここで、包装材の表面に露出される製品関連イメージは、写真、絵、模様だけではなく、文字、数字などのように、包装材の表面に表示可能な全ての情報を含む。
【００１５】
図１に示したように、本考案の包装材は製品を収納して包装するための紙包装材であり、お菓子、キャンディーなどのおやつ類の製品を収納することができる内部包装材１と、前記内部包装材１を収容して取り囲む外部包装材２とからなる。この場合、スライド操作によって外部に露出されるイメージを切り替えることができるイメージ可変部１００は前記外部包装材２に備えられる。
【００１６】
前記イメージ可変部１００が適用される包装材が例えば前記外部包装材２の場合、イメージ可変部１００が設置される部位にイメージ可変部１００を露出させるための開口部３が設置される。
【００１７】
前記イメージ可変部１００は製品を収納して包装する包装材の少なくとも一表面に設置することができ、消費者のスライド操作によって、外部に露出されるイメージが変更されるように構成される。
【００１８】
図１及び図２に示したように、前記イメージ可変部１００は、包装材に固定される固定シート１１０と、前記固定シート１１０に対してスライド移動することができるスライドシート１２０とを含んでなる。
【００１９】
図２及び図３に示すように、前記スライドシート１２０は一列に並ぶ複数の単位シート１２１と、前記単位シート１２１が固定支持されるスライド操作バー１２２とからなるものであり、前記単位シート１２１が固定シート１１０を通過して固定シート１１０上に積層配置される状態で組み立てられる。このように組み立てられた状態で固定シート１１０のイメージは単位シート１２１によって遮られ、スライドシート１２０のイメージが外部に露出される（図７及び図８参照）。
【００２０】
このために、前記スライドシート１２０は、スライドシート１２０のスライド方向を基準に、一定の幅を有する各単位シート１２１の下側端がスライド操作バー１２２に固着され、前記スライド操作バー１２２に固着されていない各単位シートの上側端が固定シート１１０の出入ホール１１４を通じて挿入され、各単位シート１２１が固定シート１１０上に積層配置される。
【００２１】
スライドシート１２０を構成する複数の単位シート１２１が全て固定シート１１０上に配置されることにより、固定シート１１０のイメージが遮られ、スライドシート１２０のイメージが露出される（図８参照）。
【００２２】
このとき、固定シート１１０上に配置される複数の単位シート１２１が固定シート１１０を完全に覆って遮ることができるようにするために、各単位シート１２１の上端部が隣接した他の単位シート１２１の下端部を覆うように配列されることが好ましい（図２参照）。
【００２３】
図２及び図４に示すように、前記固定シート１１０は各単位シート１２１の出入のための複数の出入ホール１１４を備えている。前記出入ホール１１４はスライドシート１２０のスライド方向を基準に一列に配列され、前記スライドシート１２０の単位シート１２１が各出入ホール１１４から抜け出るようにスライド操作バー１２２を引っぱれば、前記単位シート１２１が出入ホール１１４を通じて固定シート１１０の後側にスライド移動することになり、それにより、単位シート１２１によって遮られていた固定シート１１０のイメージが露出される（図８参照）。
【００２４】
前記出入ホール１１４は固定シート１１０をスリット形に部分的に切開して単位シート１２１が通過することができるように形成されるが、前記単位シート１２１が固定シート１１０のイメージを全部露出させることができるように出入ホール１１４から完全に抜け出るとき、スライドシート１２０が固定シート１１０と完全に分離されることを防止するために、単位シート１２１の全体が出入ホール１１４から抜け出たとき、前記単位シート１２１を固定シート１１０上に維持されるように支持することができる分離防止羽１１１ｂ、１１２ｂを設置することが好ましい。
【００２５】
前記分離防止羽１１１ｂ、１１２ｂを一体に備えるために、固定シート１１０は、一つ以上の第１開放ホール１１１ａが形成された第１固定シート１１１と、一つ以上の第２開放ホール１１２ａが形成された第２固定シート１１２とからなる（図４参照）。
【００２６】
図４及び図５に示したように、第１固定シート１１１には複数の第１開放ホール１１１ａが単位シート１２１のスライド移動方向に離隔して配列され、第２固定シート１１２には複数の第２開放ホール１１２ａが単位シート１２１のスライド移動方向に離隔して配列され、前記第１固定シート１１１と第２固定シート１１２が重なった状態で第１固定シート１１１と第２固定シート１１２の左右縁部が互いに接着されることによって固定シート１１０が形成される。
【００２７】
前記第１固定シート１１１と第２固定シート１１２の縁部を接合するとき、前記第１開放ホール１１１ａと第２開放ホール１１２ａが交互に連続して配列できるように、第１固定シート１１１と第２固定シート１１２が重なって固着される。前記第１開放ホール１１１ａと第２開放ホール１１２ａが交互に連続して配列されることによって隣り合っている第１開放ホール１１１ａと第２開放ホール１１２ａの間に単位シート１２１が出入することができる出入ホール１１４が設けられる。言い換えれば、第１固定シート１１１と第２固定シート１１２の接合時、隣り合っている第１開放ホール１１１ａと第２開放ホール１１２ａの境界線部位が単位シート１２１の出入のための出入ホール１１４になる。
【００２８】
具体的に、固定シート１１０は、第１固定シート１１１と第２固定シート１１２が重なる積層方向を基準に、第１固定シート１１１が第２固定シート１１２の前側に配置され、第２固定シート１１２が第１固定シート１１１の後側に配置される。そして、開放ホール１１１ａ、１１２ａの配列方向を基準に、第１開放ホール１１１ａの上側端（上側末端）と第２開放ホール１１２ａの下側端（下側末端）が隣り合い、第１開放ホール１１１ａの下側端及び第２開放ホール１１２ａの上側端が隣り合う。ここで、第１開放ホール１１１ａと第２開放ホール１１２ａの近接した末端部位（すなわち、境界線部位）は単位シート１２１がスライド通過することができる出入ホール１１４になる（図５参照）。
【００２９】
また、第１固定シート１１１は、第１開放ホール１１１ａの上側端に下側に伸びる分離防止羽（第１分離防止羽）１１１ｂが一体に形成され、第２固定シート１１２は第２開放ホール１１２ａの上側端に下側に伸びる分離防止羽（第２分離防止羽）１１２ｂが一体に形成される。
【００３０】
図５に示すように、第１分離防止羽１１１ｂは第２開放ホール１１２ａの下側端の後側に移動させられて第２固定シート１１２の背面に積層配置され、第２分離防止羽１１２ｂは第１固定シート１１１の背面に積層配置されるとともに第１開放ホール１１１ａの下側端の後側に配置される。すなわち、前記第１開放ホール１１１ａと第２開放ホール１１２ａのうち下側及び前側に配置された第１開放ホール１１１ａの上側端に形成された第１分離防止羽１１１ｂがその上側及び後側に配置された第２開放ホール１１２ａの下側端の後側に移動させられて第２固定シート１１２によって覆われる。
【００３１】
これにより、前記第１分離防止羽１１１ｂと第２分離防止羽１１２ｂが、隣り合っている第１開放ホール１１１ａと第２開放ホール１１２ａの間、すなわち出入ホール１１４を通過する単位シート１２１を支持することができ、単位シート１２１が出入ホール１１４から完全に抜け出て固定シート１１０の後側（すなわち、背面）に位置しても、単位シート１２１が固定シート１１０から完全に分離されることを防止することができる。よって、前記分離防止羽１１１ｂ、１１２ｂ上で単位シート１２１をスライド移動させることができるので、出入ホール１１４に対する単位シート１２１のスライド移動が容易になり、単位シート１２１を固定シート１１０上に簡便に出入させることができるようになる。
【００３２】
言い換えれば、第１固定シート１１１と第２固定シート１１２を接合して固定シート１１０を構成するとき、前記第１固定シート１１１の第１分離防止羽１１１ｂを第２開放ホール１１２ａを通じて第２固定シート１１２の後側に移動させて第２固定シート１１２の後側に配置することにより、スライドシート１２０の単位シート１２１が全て第１分離防止羽１１１ｂと第２固定シート１１２の間、あるいは第２分離防止羽１１２ｂと第１固定シート１１１の間に置かれた（挟まれた）状態になる。これにより、各分離防止羽１１１ｂ、１１２ｂが単位シート１２１を固定シート１１０側に支えることになり、スライドシート１２０の線形スライド移動がより容易になる。
【００３３】
また、図面に示されていないが、前記第１分離防止羽１１１ｂ及び第２分離防止羽１１２ｂはその下側端が上方に曲がった弧線（弧形曲線）形に形成することができる。これにより、固定シート１１０とスライドシート１２０の初期組立時、分離防止羽１１１ｂ、１１２ｂ上に単位シート１２１をスライド挿入させることが容易になって固定シート１１０とスライドシート１２０の初期組立にとってより便利な形態となる。
【００３４】
ここで、添付図面の図６〜図８に基づいてイメージ可変部のイメージ変換過程を段階的に説明すると次の通りである。
【００３５】
図６は固定シートとスライドシートの組立前の断面構造を示す部分断面図、図７の（ａ）及び図８の（ａ）はスライドシートの単位シートが固定シート上に配置されて固定シートを遮っている状態を示した断面図及び正面図、図７の（ｂ）及び図８の（ｂ）は単位シートが出入ホールを通じて固定シートの後側にスライド移動している状態を示した断面図及び正面図、図７の（ｃ）及び図８の（ｃ）は単位シートが出入ホールを通じて固定シートの後側に完全に抜け出た状態を示した断面図及び正面図である。
【００３６】
図６に示したような固定シート１１０にスライドシート１２０を差し込んで組立を行うと図７の（ａ）及び図８の（ａ）のような状態になる。このとき、スライドシート１２０の表面イメージが露出される。
【００３７】
言い換えれば、固定シート１１０からスライドシート１２０を抜き出す方向にスライドさせる前の状態では、図７の（ａ）及び図８の（ａ）のようにスライドシート１２０の単位シート１２１が出入ホール１１４を通過して固定シート１１０上に配置されることにより、固定シート１１０に表示されているイメージが全て隠され、スライドシート１２０に表示されているイメージのみ露出される。
または、スライドシート１２０を移動させることで単位シート１２１を固定シート１１０上から固定シート１１０の下方に移動させ、固定シート１１０に表示されているイメージが露出するようにすることもできる。
【００３８】
ついで、固定シート１１０からスライドシート１２０を後側（固定シートの背面側）に抜き出し始めると、図７の（ｂ）及び図８の（ｂ）のように単位シート１２１が出入ホール１１４を通過して固定シート１１０の後側にスライド移動するに従って固定シート１１０のイメージが次第に露出され、スライドシート１２０のイメージが固定シート１１０によって次第に遮られる。この過程で図７の（ａ）で固定シート１１０上に露出されている単位シート１２１のａ地点が出入ホール１１４側にスライド移動して図７の（ｂ）に示したように移動する。
【００３９】
継続してスライド操作を進行させ、図７の（ｃ）及び図８の（ｃ）のように単位シート１２１が出入ホール１１４を通じて固定シート１１０の後側に完全に抜け出れば、固定シート１１０のイメージが全部露出され、スライドシート１２０のイメージが全部遮られる状態になる。このとき、単位シート１２１のａ地点が出入ホール１１４に到逹すると同時にスライドシート１２０が固定シート１１０によって完全に覆われ、分離防止羽１１１ｂ、１１２ｂによって単位シート１２１が支えられることによってスライドシート１２０と固定シート１１０の連結状態が維持される。
【００４０】
以上で本考案の特定の実施例を説明したが、これによって本考案が限定されるものではない。本考案は当業者によって多様に変形実施されることができ、本考案が属する技術分野で通常の知識を有する者が本考案の請求範囲内で実施可能な多様な形態の実施例を全て含む。
【符号の説明】
【００４１】
１    内部包装材
２    外部包装材
３    開口部
１００    イメージ可変部
１１０    固定シート
１１１    第１固定シート
１１１ａ    第１開放ホール
１１１ｂ    第１分離防止羽
１１２    第２固定シート
１１２ａ    第２開放ホール
１１２ｂ    第２分離防止羽
１１４    出入ホール
１２０    スライドシート
１２１    単位シート
１２２    スライド操作バー
【図１】
0003219977.tif 000003
【図２】
0003219977.tif 000004
【図３】
0003219977.tif 000005
【図４】
0003219977.tif 000006
【図５】
0003219977.tif 000007
【図６】
0003219977.tif 000008
【図７】
0003219977.tif 000009
【図８】
0003219977.tif 000010